(57)【要約】【課題】　磁気ヘッド素子のコイルと外部回路との電気的な接続作業が容易で、部品点数の削減を図る。【解決手段】　基端部側に合成樹脂製の固定部３が一体成形されるとともに、先端側に磁気ヘッド素子４が取付けられた摺接体５が一体に成形された弾性体２と、固定部３との間に弾性体２の一部を外方に臨ませて第１の弾性変位部７を形成するとともに、摺接体５との間に弾性体２の一部を外方に臨ませて第２の弾性変位部８を形成するようにして、固定部３と摺接体５との間に位置して弾性体２に一体に合成樹脂を成形して形成されたヘッド支持体６とを備え、固定部３に、弾性体２の一部が外方に臨まされた外部回路と接続するための外部回路接続部１１５を設けた。【選択図】　図１
2004014117.tif 000002
【特許請求の範囲】
【請求項１】
　磁気コアと、コイルが取付けられたボビンとからなる磁気ヘッド素子と、
　上記磁気ヘッド素子が取付けられるとともに、光磁気記録媒体上を摺接する合成樹脂を成形して形成された摺接体と、
　基端部側に合成樹脂製の固定部が一体に成形されるとともに、先端側に上記摺接体が一体に成形され、且つ上記コイルと電気的に接続された導電性を有する少なくとも一対の弾性体と、
　上記固定部との間に上記弾性体の一部を外方に臨ませて第１の弾性変位部を形成するとともに、上記摺接体との間に上記弾性体の一部を外方に臨ませて第２の弾性変位部を形成するようにして、上記固定部と上記摺接体との間に位置して上記弾性体に一体に合成樹脂を成形して形成されたヘッド支持体とを備え、
　上記固定部には、上記弾性体の一部が外方に臨まされた外部回路と接続するための外部回路接続部が設けられてなる磁気ヘッド装置。
【請求項２】
　上記外部回路接続部は、上記弾性体の一部を切起し形成された弾性変位可能な端子部が一主面上に延在する支持片と、上記支持片の相対向する両側に設けられ上記支持片と共同して上記端子部に電気的に接続される平板状の接続ケーブルの挿入溝を形成する接続ケーブル支持片とを備えてなる請求項１記載の磁気ヘッド装置。
【請求項３】
　上記挿入溝内に、上記接続ケーブルに形成した係合部に相対係合する係合突起を設けてなる請求項２記載の磁気ヘッド装置。
【発明の詳細な説明】
【技術分野】
【０００１】
　本発明は、光磁気ディスク等の光磁気記録媒体を記録媒体に用いる光磁気記録再生装置に用いられる磁気ヘッド装置に関し、特に、情報信号が記録される光磁気記録媒体上を摺接する磁気ヘッドを備えた磁気ヘッド装置に関する。
【背景技術】
【０００２】
　従来、光透過性を有する透明な基板に垂直磁化膜からなる光磁気記録層を設けた光磁気ディスクを記録媒体に用いる光磁気ディスク記録再生装置が用いられている。
【０００３】
　この光磁気ディスク記録再生装置は、ディスク回転駆動機構によって回転操作される光磁気ディスクの一方の面側に、光磁気記録層に照射される光ビームを出射する光ピックアップ装置を対向配置し、光磁気ディスクの他方の面側に、光磁気記録層に外部磁界を印加する磁気ヘッド装置を対向配置している。
【０００４】
　光磁気ディスク記録再生装置は、回転操作される光磁気ディスクの光磁気記録層に、磁気ヘッド装置から記録すべき情報信号に応じて磁界の向きが変調された磁界を印加するとともに、光ピックアップ装置から出射される光ビームを集光して照射する。そして、光ビームが照射されることによってキュリー温度以上に加熱されて保磁力を消失した部分が、磁気ヘッド装置から印加される磁界の方向に応じて磁化された後、光磁気ディスクの回転によって光ビームが相対移動することによってキュリー温度以下に低下することによって、この磁化の方向が固定されることによって情報信号の記録が行われる。
【０００５】
　ところで、従来の光磁気ディスク記録再生装置は、情報信号の記録時に、回転操作される光磁気ディスクに磁気ヘッドを接触させることなく一定の間隔を隔てて対向させている。これは、磁気ヘッドを構成するフェライト等の金属製のコア等が摺接することにより、光磁気ディスクに損傷を与えることを防止するためである。
【０００６】
　そこで、従来の磁気ヘッド装置には、光磁気ディスクの反りや厚みのむらによって、光磁気ディスクを回転操作した時に面振れが発生した場合であっても、磁気ヘッドが光磁気ディスクに接触することなく一定の間隔を保持するようになすため、光磁気ディスクの面振れに追従して磁気ヘッドを変位させる電磁制御機構が設けられている。
【０００７】
　このように磁気ヘッドと光磁気ディスクとの間隔を一定に保持するための電磁制御機構を設けた磁気ヘッド装置にあっては、この電磁制御機構を駆動させるための電力が必要であり、消費電力の増大を招いてしまう。さらに、磁気ヘッドと光磁気ディスクとの間隔を検出する検出機構も必要であり、磁気ヘッド装置を制御するための機構が複雑となるばかりか、記録再生装置の構成も複雑となり、装置自体の小型化及び薄型化を図ることが極めて困難である。
【０００８】
　そこで、回転操作され面振れを生ずる可能性を有する光磁気ディスクに対し、磁気ヘッドを一定の間隔を保持して対向するように制御する磁気ヘッド装置に代えて、光磁気ディスクに対し磁気ヘッドを摺接させた状態で情報信号の記録を行う磁気ヘッド装置を備えた光磁気記録再生装置が提案されている。
【０００９】
　この種の光磁気ディスク記録再生装置に用いられる磁気ヘッド装置は、回転操作される光磁気ディスクの主面上を摺接する摺接体に磁気コア及びコイルが取付けられたボビンとからなる磁気ヘッド素子を取付けている。この磁気ヘッド素子を取付けた摺接体は、弾性変位可能な支持部を介してヘッド支持アームの先端側に支持されている。そして、摺接体を光磁気ディスクに摺接させた状態でこの光磁気ディスクを回転操作させたとき、この光磁気ディスクが面振れを発生させた場合であっても、弾性変位可能な支持部が弾性変位することによって摺接体が常に一定の摺接姿勢を保持して光磁気ディスクに摺接するように制御している。
【００１０】
　ヘッド支持アームは、磁気ヘッド素子を取付けた摺接体を光磁気ディスクに対し接離させるとともに、摺接体が光磁気ディスクに対し一定の摺接圧をもって摺接するようになすため、弾性力を有する板バネによって形成されている。すなわち、ヘッド支持アームは、光磁気ディスク記録再生装置側に設けられる回動操作部材によって回動操作されて弾性変位して光磁気ディスクに対し摺接体を接離させる。また、ヘッド支持アームは、摺接体が光磁気ディスクに摺接したとき、弾性変位し、摺接体を光磁気ディスク側に付勢し得るように形成されている。
【００１１】
　さらに、摺接体をヘッド支持アームの先端側に弾性変位可能に支持する支持部は、摺接体の相対向する両側を支持する一対の支持アームを備え、この一対の支持アームを介して摺接体を支持することにより、摺接体は一対の支持アームを中心にしてヘッド支持アームの弾性変位する方向と直交する方向に回動するように弾性変位させられる。すなわち、一対の支持アームからなる支持部は、摺接体を光磁気ディスクの主面上で揺動変位するように支持している。この一対の支持アームは、回転操作される光磁気ディスクの面振れに追随して摺接体が容易に変位するようになすため、支持アームの弾性力に比し十分に小さい弾性力を有するものとなされている。
【００１２】
　そして、摺接体の支持部を構成する一対の支持アームは、板バネによって形成されたヘッド支持アームの先端側を打ち抜いて形成されている。
【００１３】
　摺接体を先端側に支持したヘッド支持アームは、基端部をヘッド取付けアームに固定して取付けられ、このヘッド取付けアームを介して光磁気記録再生装置内に設けられる取付け基台に取付けられる。従って、ヘッド支持アームは、基端部を固定された片持ち支持の構造をもってヘッド取付けアームに支持され、このヘッド支持アームに固定された基端部側を中心に光磁気ディスクに対し接離する方向に弾性変位される。
【発明の開示】
【発明が解決しようとする課題】
【００１４】
　上述したように、回転操作される光磁気ディスクに磁気ヘッド素子を取付けた摺接体を摺接させて情報信号の記録を行うようにした磁気ヘッド装置は、摺接体を光磁気ディスクに対し接離させ、さらに回転操作される光磁気ディスクに対し一定の摺接圧をもって摺接させるようになすため、摺接体を支持するヘッド支持アームを板バネにより形成している。
【００１５】
　ヘッド支持アームは、摺接体が一定の摺接圧をもって回転操作される光磁気ディスクに摺接するように摺接体に付勢力を付与している。この摺接体を光磁気ディスク側に付勢する付勢力は、摺接体が回転操作される光磁気ディスクの主面上から大きく浮上することなく一定の摺接圧をもって光磁気ディスクに摺接するもので足りる。そして、摺接体を光磁気ディスクに摺接させる付勢力は大きすぎると、摺接体と光磁気ディスク間の摺接摩擦が大きくなり、摺接体及び光磁気ディスクの著しい摩耗を生じてしまう。そこで、ヘッド支持アームは、弾性力があまり大きくない機械的な強度も十分ではない薄いリン青銅等の板バネによって形成されている。また、ヘッド支持アームは、上述したように、基端部を固定された片持ち支持の構造をもってヘッド取付けアームに取付けられている。
【００１６】
　この種の磁気ヘッド装置にあっては、ヘッド支持アームの先端側に支持された摺接体に取付けられた磁気ヘッド素子のコイルと外部回路とを電気的に接続するための接続線が必要となる。そこで、従来の磁気ヘッド装置は、ヘッド支持アーム上にフレキシブル配線基板等の導電線を延在させ、この導電線を介して磁気ヘッド素子のコイルと外部回路とを電気的に接続するようにしている。そのため、コイルと外部回路とを電気的に接続するための部品点数が増加し、さらに半田を用いた結線作業も必要となり、製造が極めて困難となってしまっている。
【００１７】
　そこで、本発明は、支持アームの先端に支持される摺接体に取付けられた磁気ヘッド素子のコイルと外部回路との電気的な接続作業が容易で、組み立てが極めて容易で部品点数の削減を図り得る磁気ヘッド装置を提供することを目的とする。
【課題を解決するための手段】
【００１８】
　本発明に係る磁気ヘッド装置は、磁気コアと、コイルが取付けられたボビンとからなる磁気ヘッド素子と、上記磁気ヘッド素子が取付けられるとともに、光磁気記録媒体上を摺接する合成樹脂を成形して形成された摺接体と、基端部側に合成樹脂製の固定部が一体成形されるとともに、先端側に上記摺接体が一体に成形され、且つ上記コイルと電気的に接続された導電性を有する少なくとも一対の弾性体と、上記固定部との間に上記弾性体の一部を外方に臨ませて第１の弾性変位部を形成するとともに、上記摺接体との間に上記弾性体の一部を外方に臨ませて第２の弾性変位部を形成するようにして、上記固定部と上記摺接体との間に位置して上記弾性体に一体に合成樹脂を成形して形成されたヘッド支持体とを備え、上記固定部には、上記弾性体の一部が外方に臨まされた外部回路と接続するための外部回路接続部が設けられている。
【００１９】
　上記外部回路接続部は、上記弾性体の一部を切起し形成された弾性変位可能な端子部が一主面上に延在する支持片と、上記支持片の相対向する両側に設けられ上記支持片と共同して上記端子部に電気的に接続される平板状の接続ケーブルの挿入溝を形成する接続ケーブル支持片とを備えている。
【００２０】
　上記挿入溝内には、上記接続ケーブルに形成した係合部に相対係合する係合突起を設けることが望ましい。
【００２１】
　本発明に係る磁気ヘッド装置のヘッド支持体は、弾性体により形成される第１の弾性変位部を中心にして回動操作され、弾性体の先端側に一体に設けられた摺接体が光磁気記録媒体に対し接離される。
【００２２】
　また、磁気ヘッド素子を取付けた摺接体は、第２の弾性変位部を中心にして回動変位することによって、摺接姿勢を制御されて光磁気記録媒体と相対摺接する。
【００２３】
　そして、導電性を有する弾性体の一部が外方に臨まされた固定部に設けられた外部回路接続部に接続ケーブルを接続すると、弾性体を介して外部回路と磁気ヘッド素子のコイルとの電気的な接続が図られる。
【発明の効果】
【００２４】
　本発明に係る磁気ヘッド装置は、第１の弾性変位部を介してヘッド支持体を支持した固定部に、ヘッド支持体の先端側に支持された摺接体に取付けられた磁気ヘッド素子のコイルに電気的に接続された弾性体の一部が外方に臨まされた外部回路と接続するための外部回路接続部が設けられているので、弾性体を介して外部回路と磁気ヘッド素子のコイルとの電気的な接続を図ることができ、電気的な接続を図るための導線が不要となって電気的な接続作業が容易となり、さらに、磁気ヘッド装置の組み立てが簡素化できるとともに部品点数の削減を図ることができる。
【発明を実施するための最良の形態】
【００２５】
　以下、本発明の実施の形態を図面を参照して説明する。本発明に係る磁気ヘッド装置１は、図１及び図２に示すように、互いに略平行に配置された導電性を有する長尺な一対の弾性体２，２を備えている。これら弾性体２，２は、リン青銅やＢｅＣｕ等の導電性を有する薄板状の金属板を打ち抜いて形成されてなるものである。特に、弾性体２，２は、熱処理する時間に応じて硬化度が変化するＢｅＣｕの如き時効硬化材により形成される。弾性体２，２を時効硬化材に形成することにより、弾性体２，２の弾性力を容易に所望のものとなすことができる。
【００２６】
　これら弾性体２，２の先端部側には、後述するように摺接体に取付けられる磁気ヘッド素子のコイルと電気的に接続される給電端子が設けられ、基端部側には、後述するように磁気ヘッド素子のコイルに給電を行う外部接続ケーブルが接続される外部回路接続部を構成する端子部が設けられている。
【００２７】
　そして、一対の弾性体２，２の基端側には、図１、図２、図３及び図４に示すように、本発明に係る磁気ヘッド装置１を光磁気記録再生装置内に配置される取付け基台に取付けるための固定部３が合成樹脂材料をモールド成形して一体に設けられている。また、一対の弾性体２，２の先端側には、磁気コア及びコイルが取付けられたボビンとからなる磁気ヘッド素子４が取付けられて磁気ヘッド１０を構成する摺接体５が合成樹脂材料をモールド成形して一体に設けられている。さらに、一対の弾性体２，２の固定部３が設けられた基端部と摺接体５が設けられた先端部との間には、ヘッド支持体６が合成樹脂材料をモールド成形して一体に設けられている。
【００２８】
　ところで、ヘッド支持体６は、固定部３との間に一対の弾性体２，２の一部を外方に臨ませるとともに、摺接体５との間に一対の弾性体２，２の一部を外方に臨ませるようにして上記一対の弾性体２，２の中途部に一体に設けられる。一対の弾性体２，２の固定部３とヘッド支持体６との間で外方に臨まされた部分は、摺接体５を含むヘッド支持体６を光磁気ディスクに対し接離させる方向に回動操作させるときの回動中心となる第１の弾性変位部７，７となされる。また、一対の弾性体２，２の摺接体５とヘッド支持体６との間で外方に臨まされた部分は、磁気ヘッド素子４を取付けた摺接体５が回転操作される光磁気ディスクの面振れ等に追随して揺動変位するように弾性変位する第２の弾性変位部８，８となされる。
【００２９】
　そして、一対の弾性体２，２の第２の弾性変位部８，８を構成する部分は、第１の弾性変位部７を構成する部分に比し幅狭となされ、第１の弾性変位部７，７に比し僅かの負荷によって容易に弾性変位するように形成されている。すなわち、第１の弾性変位部７，７は、摺接体５が回転操作される光磁気ディスクに対し一定の摺接圧をもって摺接するようにヘッド支持体６に付勢力を付与するものであるので、回転操作される光磁気ディスクに面振れ等を生じさせた場合であっても、摺接体５が光磁気ディスクから浮上しない程度の付勢力をヘッド支持体６に付与するに足る弾性力が必要である。これに対し、第２の弾性変位部８，８は、摺接体５が光磁気ディスクに摺接した状態で光磁気ディスクに面振れ等が生じた場合であっても、この光磁気ディスクの回転に追随して摺接姿勢を一定の状態を維持するように摺接体５を揺動変位させるものである。従って、第２の弾性変位部８，８の弾性力は、第１の弾性変位部７，７の弾性力に比し小さいものとなされている。
【００３０】
　ここで、一対の弾性体２，２の先端側に一体に設けられる摺接体５を具体的に説明すると、この摺接体５は、磁気コア及びコイルが取付けられたボビンとからなる磁気ヘッド素子４が取付けられて磁気ヘッド１０を構成し、この磁気ヘッド装置１が光磁気記録再生装置に取付けられ、光磁気ディスクに情報信号の記録を行う際、回転操作される光磁気ディスクの一方の主面上に摺接し、磁気ヘッド素子４を光磁気ディスクの信号記録層に対し一定の距離を維持させるようになすものである。
【００３１】
　摺接体５に取付けられて磁気ヘッド１０を構成する磁気ヘッド素子４は、図５に示すように、フェライト等の磁性材料により形成された磁気コア３２と、コイル３３が巻回されたボビン３４とから構成されてなる。磁気コア３２は、中心磁極コア３２ａとこの中心磁極コア３２ａの両側に設けられた一対の側磁極コア３２，３２ｂとこれら磁極コア３２ａ，３２ｂ，３２ｂの基端側を連結する連結部３２ｃを有し全体をもって略Ｅ字状に形成されている。この磁気コア３２の中心磁極コア３２ａは、先端部が側磁極コア３２ｂ，３２ｂの先端部から稍々突出するように側磁極コア３２ｂ，３２ｂより長尺に形成されている。
【００３２】
　また、磁気コア３２とともに磁気ヘッド素子４を構成するボビン３４は、極めて高精度の成形が可能である液晶ポリマーやポリフェニレンサルファイド等の合成樹脂材料を成形して形成されてなるものであって、図５、図６，図７及び図８に示すように、中心部に磁気コア３２の中心磁極コア３２ａが挿入される挿入孔３７を中心部に設けたボビン本体３８を備えている。このボビン本体３８の外周側には、挿入孔３７を取り囲むようにして凹部形状に形成されたコイル巻回部３９が設けられている。ボビン本体３８の一端側には、挿入孔３７の軸方向と直交する方向に突出するフランジ部４０が一体に形成されている。このフランジ部４０の端面４０ａは、光磁気ディスクへの摺接面側となる。従って、このフランジ部４０の端面４０ａは、図６及び図７に示すように、回転操作される光磁気ディスクの主面に当接した場合であっても、光磁気ディスクに円滑に摺接し得るようになすため、中央部を膨出した湾曲面として形成されている。
【００３３】
　ボビン本体３８の他端側には、図７及び図８に示すように、リン青銅等の導電性材料により形成された一対のコイル接続端子４１，４１を支持する一対の支持部４２，４２が突設されている。これら支持部４２，４２は、挿入孔３７の軸方向と直交する方向に相対向して平行に突設されている。そして、一対のコイル接続端子４１，４１は、両端部を支持部４２，４２から突出させて、これら支持部４２，４２に埋設するように一体に取付けられている。
【００３４】
　ところで、一対のコイル接続端子４１，４１は、ボビン３４を金型装置で成形する際、金型内に配置されて支持部４２，４２の成形と同時に一体に取付けられるものであって、いわゆるインサート成形によって支持部４２，４２に取付けられてなる。
【００３５】
　コイル接続端子４１，４１の支持部４２，４２から突出した一方の端部は、コイル巻回部３９に巻回されたコイル３３の接続端末３３ａが巻き付け接続されるコイル接続部４１ａとして用いられ、他方の端部は、後述する摺接体５に一体的に設けられる給電端子と電気的に接触する接続端子部４１ｂとして用いられる。
【００３６】
　そして、ボビン３４のコイル巻回部３９に巻回されたコイル３３の接続端末３３ａは、図８に示すように、コイル接続端子４１，４１のコイル接続部４１ａに数回巻回されて電気的に接続される。コイル３３の接続端末３３ａとコイル接続部４１ａとの確実な電気的な接続を図るため、接続端末３３ａは、導電性接着剤や半田を用いてコイル接続部４１ａに接続される。
【００３７】
　ボビン本体３８の他端側に一対の支持部４２，４２を相対向して突設することによって構成される凹状部は、磁気コア３２の嵌合部４３となされている。この嵌合部４３の両端には、挿入孔３７に中心磁極コア３２ａを挿入して取付けられる磁極コア３２を支持するコア支持部４４，４４が形成されている。このコア支持部４４，４４は、図６に示すように、両側に一対のすり割り４５，４５が穿設されることによって、ボビン本体３８への連設部側を支点にして先端側が弾性変位可能となされている。すなわち、これらコア支持部４４，４４は、加工精度が十分に得られない磁極コア３２がボビン３４に取付けられたとき、磁極コア３２の連結部３２ｃにより押圧されて弾性変形することにより、中心磁極コア３２ａが確実に挿入孔３７に挿入し得るように中心磁極コア３２ａの挿入方向を規制する。
【００３８】
　また、支持部４２，４２の上端側の一側には、ボビン３４を摺接体５に設けた磁気ヘッド素子４の取付け孔４６に嵌合させるように取付けたとき、この取付け孔４６内に設けられた被係合部となる係合段差部４７に相対係合する係合部となる係合爪片４８，４８が設けられている。これら係合爪片４８，４８は、図６及び図７に示すように、ボビン３４に設けた挿入孔３７の軸線方向に延長して形成され、先端側の一側に爪部４８ａ，４８ａを突設している。この爪部４８ａ，４８ａは、先端側に向かって先細りとなる鋭角に形成されている。
【００３９】
　磁気ヘッド素子４を構成する磁気コア３２及びボビン３４が取付けられる摺接体５は、図５、図９，図１０及び図１１に示すように、非導電性の液晶ポリエステル等の合成樹脂材料をモールド成形して形成されてなるものであって、中央部に磁気ヘッド素子４の取付け部５１を有し、この取付け部５１の一端側から光磁気ディスクの主面に摺接する摺接部５２を突設している。この摺接部５２が突設された基端部側と対向する先端部側には、後述するように摺接体５がヘッド支持体６とともに光磁気ディスクから離間する方向に回動されたとき、回動姿勢規制アームに当接して第２の弾性変位部８，８を中心に回動変位する摺接体５のヘッド支持体６に対する回動姿勢を規制する当接部５３が突設されている。
【００４０】
　摺接部５２は、図９に示すように、取付け部５１に設けられた取付け孔４６の開口端側に位置して取付け部５２の一端から突設されている。この摺接部５２の光磁気ディスクの主面に摺接する摺接面５６には、図１２に示すように、磁気ヘッド１０を光磁気ディスク上に摺接させたとき、光磁気ディスク上を移動する方向側に傾斜面５６ａが設けられている。この傾斜面５６ａを設けることにより、傾斜面５６が回転操作される光磁気ディスク上に摺接して移動していく際の円滑な摺接を保証することができる。また、摺接部５２は、図１０に示すように、摺接面５６を取付け部５２の光磁気ディスクの主面に対向する面より稍々突出するようにして形成され、光磁気ディスクの主面に確実に摺接するようになされている。
【００４１】
　摺接体５に設けられた取付け部５１には、磁気コア３２及びボビン３４が嵌合する如く取付けられる取付け孔４６が設けられている。この取付け孔４６は、光磁気ディスクに摺接する面側を開口部４６ａとなす有底の凹状に形成されている。取付け孔４６の長手方向の相対向する各面には、図９及び図１１に示すように、取付け孔４６に挿入される磁気コア３２の両側に設けられた側磁極コア３２ｂ，３２ｂを挾持する一対の第１及び第２の挾持片５７，５７及び５８，５８が突設されている。これら挾持片５７，５７及び５８，５８は、相対向するように取付け孔４６の長手方向の相対向する面から突設されている。各一対の挾持片５７，５７及び５８，５８の間隔は、磁気コア３２の厚さより稍々幅狭となされ、これら挾持片５７，５７及び５８，５８に挿入される磁気コア３２の側磁極コア３２ｂ，３２ｂを圧着挾持する。
【００４２】
　また、取付け孔４６の第１及び第２の挾持片５７，５７及び５８，５８が突設される面に直交する長手方向の相対向する各面には、図９及び図１３に示すように、この取付け孔４６内に挿入されるボビン３４に設けられた係合爪片４８，４８の係合爪４８ａ，４８ａが相対係合する被係合部となる係合段差部４７，４７が設けられている。これら係合段差部４７，４７は、図１０に示すように、取付け孔４６の長手方向の相対向する面に、取付け孔４６の底部４６ａ側である摺接体５の上面側から中途部に亘ってコ字状をなす切込み溝５９，５９を穿設することによって形成される弾性変位片６０，６０の上端面部分に形成されてなる。すなわち、係合段差部４７，４７は、取付け孔４６の長手方向の相対向する面に穿設された切込み溝５９，５９により形成されてなるものであり、この切込み溝５９，５９の一部をもって構成されてなる。この切込み溝５９，５９の一部をもって構成された係合段差部４７，４７の係合爪４８ａ，４８ａと相対係合する面は、係合爪４８ａ，４８ａに対応する鋭角な面となされている。
【００４３】
　係合段差部４７，４７を形成するため、切込み溝５９，５９を穿設することによって形成された弾性変位片６０，６０の係合段差部４７，４７が形成された上端側は、図１３に示すように、取付け孔４６の内方に突出するように傾斜されている。これら弾性変位片６０，６０の傾斜された相体対向する面は、取付け孔４６内に挿入されるボビン３４の外周部の一部と当接し、このボビン３４の挿入方向及び挿入位置をガイドする挿入ガイド部６２，６２となされている。
【００４４】
　また、取付け孔４６内には、導電性を有する一対の弾性体２，２の先端側を折曲して形成した給電端子６３，６３が突設されている。これら給電端子６３，６３は、取付け孔４６内に挿入されるボビン３４に設けられたコイル接続端子４１，４１の接続端子部４１ｂ，４１ｂに電気的に接触し、ボビン３４に巻回されたコイル３３に給電を行うためのものであり、取付け孔４６にボビン３４を取付けたとき、このボビン３４に取付けたコイル接続端子４１，４１の接続端子部４１ｂ，４１ｂに接触可能な位置に設けられてなるものであって、図１１に示すように、第２の挾持片５８，５８が突設される側に位置して、取付け孔４６の相対向する側面に突設されている。
【００４５】
　一対の弾性体２，２の先端側を折曲して形成される給電端子６３は、図１４に示すように、取付け孔４６内に突出し、コイル接続端子４１，４１に弾性的に接触する屈曲部６４と、合成樹脂からなる摺接体５がモールド成形される取付け部６５とを備えている。この給電端子６３の屈曲部６４は、中央部を膨出するように折り曲げられおり、この膨出した部分をコイル接続端子４１への電気的な接触部６４ａとしている。そして、屈曲部６４は、取付け孔４６にボビン３４を挿入する方向に沿って取付け部６５の一端部より折り曲げられている。
【００４６】
　そして、一対の給電端子６３，６３の取付け部６５，６５は、摺接体５の重心位置近傍の側方に突出し、第２の弾性変位部８，８に連続している。従って、摺接体５は、重心位置近傍が一対の弾性体２，２によって支持されてなる。
【００４７】
　ところで、給電端子６３の少なくともコイル接続端子４１，４１に接触する屈曲部６４には、接触時の電気的抵抗を小さくなすため、金メッキ処理、ニッケルメッキ処理、ハンダメッキ処理のいずれかのメッキ処理が施されている。メッキ処理に用いられる材料は、接触時の電気的抵抗を小さくなすため、給電端子６３より電気抵抗の小さな材料を用いることが望ましい。
【００４８】
　同様に、接触時の電気的抵抗を小さくなすため、コイル接続端子４１，４１の屈曲部６４と接触する接続端子部４１ｂ，４１ｂにも、金メッキ処理、ニッケルメッキ処理、ハンダメッキ処理のいずれかのメッキ処理を施しておくことが望ましい。
【００４９】
　また、取付け孔４６の底面４６ｂ、すなわち摺接体５の天板側の内面には、図１３に示すように、取付け孔４６に取付けられる磁気コア３２の中心磁極コア３２ａの先端面が当接することによって、磁気コア３２の取付け孔４６に対する取付け位置を規制する磁気コア突当て部６７が膨出形成されている。
【００５０】
　次に、上述のように構成された磁気ヘッド１０を組み立てる工程を説明し、さらに、組み立てられた磁気ヘッド１０を説明する。
【００５１】
　磁気ヘッド１０を組み立てるには、摺接体５の取付け孔４６内に磁気コア３２を取付ける。磁気コア３２は、連結部３２ｃ側を挿入端として、図１５に示すように、摺接体５の光磁気ディスクへの摺接面側に開口した開口端４６ａから取付け孔４６内に挿入される。取付け孔４６内に挿入された磁気コア３２は、側磁極コア３２ｂ，３２ｂ側の両側部が第１及び第２の挾持片５７，５７及び５８，５８間に嵌合されることにより、これら挾持片５７，５７及び５８，５８に挾持されて取付け孔４６内に仮固定される。このとき、磁気コア３２は、連結部３２ｃの上面が磁気コア突当て部６７に当接され、取付け孔４６内への挿入方向の位置規制が図られる。
【００５２】
　次いで、磁気コア３２が配置された取付け孔４６内に、コイル３３が巻回されたボビン３４を挿入する。ボビン３４は、係合爪片４８，４８が突設された側を取付け孔４６の係合段差部４７，４７が設けられた面に対応させ、コイル接続端子４１，４１の接続端子部４１ｂ，４１ｂを取付け孔４６内に突設された給電端子６３，６３に対応させて、開口端５１ａから取付け孔４６内に挿入される。このとき、ボビン３４の挿入孔３７に磁気コア３２の中心磁極コア３２ａを挿入するようになす。さらに、ボビン３４を取付け孔４６内に挿入していくと、ボビン３４は、取付け孔４６内に突出する弾性変位片６０，６０の相対向する面に形成された挿入ガイド部６２，６２にコイル接続端子４１，４１を取付けた側の外側面を摺接させて取付け孔４６の内方に挿入される。このとき、ボビン３４は、挿入ガイド部６２，６２に外側面をガイドされて取付け孔４６内に挿入されていくことにより、取付け孔４６に対する挿入方向が規制される。従って、ボビン３４は、取付け孔４６内に仮固定して配設された磁気コア３２の中心磁極コア３２ａを挿入孔３７に正確に挿入させて取付け孔４６に挿入されていく。
【００５３】
　また、ボビン３４が取付け孔４６に挿入されていくとき、係合爪片４８，４８によって弾性変位片６０，６０が取付け孔４６の外方に弾性変位される。ここからさらに、ボビン３４が挿入され、挿入端側が取付け孔４６の底面５１ｂに当接するまで挿入されると、係合爪片４８，４８の先端の係合爪４８ａ，４８ａが弾性変位片６０，６０の先端に形成された係合段差部４７，４７に至り、弾性変位片６０，６０が弾性復帰することにより、図１６に示すように、係合爪４８ａ，４８ａと係合段差部４７，４７との相対係合が実現される。そして、ボビン３４は、図１６に示すように、端面４０ａの中央部を膨出形成したフランジ部４０を摺接体５の光磁気ディスクに対向する面側に臨ませて取付け孔４６内に位置決めされて取付けられる。
【００５４】
　さらに、ボビン３４が取付け孔４６内に取付けられたとき、コイル接続端子４１，４１の接続端子部４１ｂが、取付け孔４６内に突出する給電端子６３，６３に圧接し、電気的な接続が図られる。これら給電端子６３，６３は、弾性を有する取付け孔４６内に大きく突出する屈曲部６４，６４を接続端子部４１ｂ、４１ｂに接触してなるので、接続端子部４１ｂに弾性力を付与した状態で圧接し、確実な電気的な接触が実現される。
【００５５】
　なお、給電端子６３，６３は、中途部に屈曲部６４，６４が設けられ、略く字状に形成されてなるので、接続端子部４１ｂ、４１ｂが接触したとき、先端部側が取付け孔５６の内側面に当接するようになるため、接続端子４１ｂに大きな弾性力を付与することができる。
【００５６】
　上述のように組み立てられる磁気ヘッド１０は、磁気コア３２及びコイル３３を巻回したボビン３４を順次取付け孔４６に挿入していくだけで組み立てられ、磁気コア３２及びコイル３３を摺接体５に固定するために接着剤を用いる必要がないので、組み立てが極めて容易である。また、磁気ヘッド素子４の摺接体５に対する取付け位置は、係合爪４８ａ，４８ａと係合段差部４７，４７との相対係合位置により決定できるため、取付け位置精度の位置出しを正確且つ容易に行うことができる。
【００５７】
　さらに、ボビン３４に設けたコイル接続端子４１，４１と給電端子６３，６３間の接続にも、半田等を必要としない。従って、磁気ヘッド１０の組み立て作業が極めて簡単となる。
【００５８】
　上述のように構成された磁気ヘッド１０を第２の弾性片部８，８を介して先端側に支持したヘッド支持体６は、一対の弾性体２，２間に亘って合成樹脂をモールド成形して形成されてなる。このヘッド支持体６は、一対の弾性体２，２間に亘って合成樹脂をモールド成形して形成されることにより、一対の弾性体２，２の互いの位置を固定するとともにこれら弾性体２，２に剛性を付与し、弾性体２，２の先端に取付けた磁気ヘッド１０を構成する摺接体５を第２の変位部８，８を中心にして回動変位可能に支持するものである。このヘッド支持体６の摺接体５が支持される側には、図１、図２及び図３に示すように、摺接体５の摺接部５２側が臨む凹部７５が形成されている。摺接体５は、第２の弾性変位部８，８を中心に回動変位されたとき、摺接部５２側をヘッド支持体６の凹部７５内に進入させるように回動変位される。
【００５９】
　さらに、ヘッド支持体６の固定部３側に位置する基端側の一側には、図１、図２、図３及び図４に示すように、固定部６の方向に向かって延長されるように連結アーム７６が設けられ、この連結アーム７６の先端側に重量体７７が設けられている。この重量体７７は、一対の弾性体２，２の一部をもって構成された第１の弾性変位部７，７を介して固定部３に支持されたヘッド支持体６の重心が第１の弾性変位部７，７の略近傍に位置するように設けられるものであって、第１の弾性変位部７，７を中心にして一方の側にヘッド支持体６が延長され他方の側に先端に重量体７７を設けた連結アーム７６が延長されている。従って、重量体７７は、第１の弾性変位部７，７から固定部３側に位置にして設けられている。
【００６０】
　そして、本実施例では、重量部７７は、連結アーム７６とともにヘッド支持体６と一体に、ヘッド支持体６と同じ材料の合成樹脂材料に形成されているが、小さい体積で大きな重量をかせぐため、比重の大きな金属材料により形成したものであってもよい。この金属材料からなる重量体７７は、合成樹脂からなる連結アーム７６を成形する際、この連結アーム７６にインサートすることによって一体に取付けられる。また、重量体７７は、連結アーム７６と一体に成形される合成樹脂体内に比重の大きな金属材料を埋設するようにして形成したものであってもよい。
【００６１】
　第１の弾性変位部７，７を中心にしてヘッド支持体６が延長される一方の側と対向する他方の側に連結アーム７６を介して延長された重量体７７は、第１の弾性変位部７，７を中心にしてヘッド支持体６を回動操作する回動操作部としても機能する。すなわち、重量体７７を押圧操作することによって、第１の弾性変位部７，７が弾性変位されることによりヘッド支持体６が第１の弾性変位部７，７を中心にして回動操作される。
【００６２】
　そこで、重量体７７の上面側には、図１に示すように、この磁気ヘッド装置１を光磁気記録再生装置に取付けたとき、光磁気記録再生装置側に設けられるヘッド回動操作部によって押圧操作されるための被押圧部７８が突設されている。この被押圧部７８は、重量体７７が第１の弾性変位部７，７を中心にして押し下げられる方向に回動された場合であっても、確実にヘッド回動操作部によって押圧操作されるようになすため、重量体７７の後端側に向かって徐々に高さが高くなるように傾斜面７８ａが上面側に設けられている。
【００６３】
　さらに、一対の弾性体２，２の基端側に設けられる固定部３は、光磁気記録再生装置内に配置される光ピックアップ装置と同期して光磁気ディスクの径方向に亘って移動する取付け基台に、この磁気ヘッド装置１を固定支持するためのものであって、図２及び図３に示すように、中心部に取付け基台に固定される固定ネジ等の固定部材が挿通する固定部材挿通孔７９が穿設されている。また、固定部３の底面側には、図２に示すように、取付け基台に突設される一対の位置決めピンが係合する係合孔８０及び係合凹部８１が穿設されている。
【００６４】
　また、固定部３の重量体７７と対向する一側面には、図２及び図３に示すように、被押圧部７８が押圧操作されてヘッド支持体６を含む重量体７７が第１の弾性変位部７，７を中心にして回動操作されるとき、重量体７７の回動範囲を規制する回動規制部８２が設けられている。この回動規制部８２は、重量体７７が回動操作されたとき、重量体７７の固定部３と対向する面に図２に示すように突設した回動規制突起８３が当接することによって、ヘッド支持体６を含む重量体７７の第１の弾性変位部７，７を中心とした回動を規制するものである。
【００６５】
　さらに、固定部３の重量体７７を先端側に設けた連結アーム７６が延在する一側と対向する他側の先端からは、図１及び図３に示すように、ヘッド支持体６の延長方向に向かってこのヘッド支持体６と略平行に回動姿勢規制アーム８４が設けられている。この回動姿勢規制アーム８４は、図１及び図３に示すように、先端側をＬ字状に折曲した回動姿勢規制部８５を摺接体５の先端側に突設した当接部５３上に対向させている。そして、回動姿勢規制アーム８４は、被押圧部７８が押圧操作されて回動操作部となされている重量体７７を含むヘッド支持体６が、第１の弾性変位部７，７を中心にして図１及び図４中矢印Ａ方向に回動されたとき、すなわち、ヘッド支持体６の先端に支持された摺接体５の光磁気ディスクへの摺接面と対向する上方側へ回動操作されたときに回動姿勢規制部８５を当接部５３に当接させることによって第２の弾性変位部８，８を中心に回動変位する摺接体５のヘッド支持体５に対する回動姿勢を規制する。
【００６６】
　ところで、重量体７７は、固定部５の一側に沿って延長され、回動姿勢規制アーム８４は、固定部５の他側から延長されてなるので、重量体７７と回動姿勢規制アーム８４は、一対の弾性体２，２の両側にそれぞれ位置して延在することになり、磁気ヘッド装置１の幅を小さくすることができる。
【００６７】
　上述のような構成を備えた磁気ヘッド装置１は、図１７に示すように、光ピックアップ装置９１が取付けられて光磁気記録再生装置内に移動可能に取付けられた移動基台９２に取付けられ、光ピックアップ装置９１と同期して移動するように取付けられる。
【００６８】
　磁気ヘッド装置１及び光ピックアップ装置９１が取付けられる移動基台９２は、ディスク回転駆動機構等の機構部が取付けられるシャーシ基板９３に取付けられたスライドガイド軸９４に中途部に穿設した貫通孔９５を挿通させ、一端側に突設した上下一対の係合片９６，９７によりシャーシ基板９３の一側に設けたスライドガイド部９８を支持することによって、光磁気記録再生装置装置内に装着されたディスクカートリッジ９９に収納された光磁気ディスク１００の径方向に亘って移動可能に支持されている。この移動基台９２は、図示しない駆動モータによって駆動されるピックアップ送り機構を介して光磁気ディスク１００の径方向に亘って移動操作される。
【００６９】
　そして、光ピックアップ装置９１は、光源から出射される光ビームを光磁気ディスク１００の信号記録層に集光させて照射させる対物レンズを上記光磁気ディスク１００に対向させて移動基台９２の先端側に取付けられている。このとき、光ピックアップ装置９１は、対物レンズの光軸が光磁気ディスク１００の中心線上に位置するようにして移動基台９２に取付けられている。
【００７０】
　移動基台９２の光ピックアップ装置９１が取付けられた一端側と対向する他端側には、磁気ヘッド装置１の取付け基台１０１が立上り形成されている。この取付け基台１０１は、図１７に示すように、光磁気記録再生装置装置内のカートリッジ装着部に装着されたディスクカートリッジ９９の一側に沿って立上り形成されている。そして、磁気ヘッド装置１は、図１８に示すように、ヘッド支持体６をカートリッジ装着部に装着されるディスクカートリッジ９９上に延在させるようにして、固定部３を取付け基台１０１の上端部に固定させて移動基台９２に取付けられる。すなわち、磁気ヘッド装置１は、固定部３の底面に設けた係合孔８０及び係合凹部８１を取付け基台１０１の上端面に突設した位置決めピンに係合させて取付け基台１０１に対する取付け位置を位置決めし、固定部材挿通孔７９に挿通されて取付け基台１０１に螺合される固定ネジによって取付け基台１０１に取付けられる。
【００７１】
　磁気ヘッド装置１は、取付け基台１０１上に取付けられたとき、ヘッド支持体６の先端に第２の弾性変位部８，８を介して支持された摺接体５に取付けられた磁気ヘッド素子４を構成する磁極コア３２の中心磁極３２ａが、光磁気ディスク１００を挟んで光ピックアップ装置９１の対物レンズに対向させられる。すなわち、光磁気ディスク１００に対する光ビームの照射位置に外部磁界を印加させるためである。
【００７２】
そして、取付け基台１０１に取付けられた磁気ヘッド装置１は、移動基台９２がピックアップ送り機構により駆動されることにより、光ピックアップ装置９１と一体に、図１８中矢印Ｂ方向及び矢印Ｃ方向の光磁気ディスク１００の径方向に送り操作される。なお、磁気ヘッド装置１の光磁気ディスク１００に対する移動方向は、図１８に示すように、ヘッド支持体６の長手方向と直交する方向となされている。
【００７３】
　ところで、磁気ヘッド装置１と光ピックアップ装置９１は、図１７に示すように、光磁気ディスク１００を挟んで相対向させられてなるので、磁気ヘッド装置１と光ピックアップ装置９１との間には、カートリッジ装着部に装着されるディスクカートリッジ９９を装脱させるための空間が必要となる。そこで、磁気ヘッド装置１の固定部３及び取付け基台１０１は、ディスクカートリッジ９９を装脱させるための空間を保持させるに足る高さＨ1 に形成されている。
【００７４】
　また、ディスクカートリッジ９９を装脱させるための空間を保持させる高さＨ1 を有する固定部３から第１の弾性変位部７，７を介してディスクカートリッジ９９上に延長されたヘッド支持体６は、図１、図４及び図１７に示すように、先端に支持した摺接体５をカートリッジ装着部に装着された光磁気ディスク１００に摺接させるため、第１の弾性変位部７，７への連設部６ａ側から摺接体５を支持した先端部側に向かって傾斜して形成されている。さらに、ヘッド支持体６の摺接体５を支持した先端部には、摺接体５をディスクカートリッジ９９に設けた記録再生装置用窓部１０２を介してディスクカートリッジ９９内に進入させて光磁気ディスク１００に摺接させるため、さらに光磁気ディスク１００側に向かって湾曲された湾曲部６ｂが形成されている。この湾曲部６ｂは、ヘッド支持体６の先端部に形成された凹部７５の両側に延在する摺接体支持アーム７５ａ，７５ｂの基端部側を湾曲させることによって形成されてなる。
【００７５】
　そして、ヘッド支持体６は、重量体７７部分が押圧操作されない状態で、先端側に支持した摺接体５をディスクカートリッジ９９内に進入させて光磁気ディスク１００に摺接させる。摺接体５が光磁気ディスク１００に摺接された状態にあるとき、１の弾性変位部７，７が弾性変位されヘッド支持体６を光磁気ディスク１００側に付勢する付勢力を付与している。従って、摺接体５は、光磁気ディスク１００に所定の摺接圧をもって摺接させられている。
【００７６】
　ところで、ヘッド支持体６は、カートリッジ装着部に装着されたディスクカートリッジ９９を装脱する際、摺接体５をディスクカートリッジ９９内から離脱させ、光ピックアップ装置９１との間にディスクカートリッジ９９の装脱を行うに足る空間を形成するように第１の弾性変位部７を中心にして回動操作される。
【００７７】
　そこで、この磁気ヘッド装置１が取付けられる光磁気記録再生装置内には、図１７に示すように、重量体７７に設けた被押圧部７８を押圧操作してヘッド支持体６を第１の弾性変位部７，７を中心にしてディスクカートリッジ９９側から離間する方向に回動操作するヘッド回動操作機構１０５が設けられている。このヘッド回動操作機構１０５は、重量体７７に設けた被押圧部７８を押圧操作する回動操作板１０６と、この回動操作板１０６を回動操作させる回動操作部１０７とを備えている。回動操作板１０６は、図１７に示すように、重量体７７に設けた被押圧部７８上に対向するようにして、基端側の両側に突設した枢軸１０８を光磁気記録再生装置内に配置された支持基板１０９上に植立された一対の支持杆１１０上に支持させ、この枢軸１１０を中心に被押圧部７８に対し接離する方向に回動可能に取付けられている。この回動操作板１０６は、枢軸１０８に巻回された捩りコイルバネ１１１により被押圧部７８から離間する方向の図１７中矢印Ｄ方向に回動付勢されている。また、回動操作部１０７は、磁気ヘッド装置１上を水平に移動する移動体の一部から回動操作板１０６側に突出するようにして設けられ、移動体が図１７中矢印Ｅ方向に移動することによって回動操作板１０６の一側に突設した回動操作ピン１１２を押圧する。
【００７８】
　そして、ヘッド回動操作機構１０５を構成する回動操作板１０６は、回動操作ピン１１２が回動操作部１０７によって押圧されることにより捩りコイルバネ１１１の付勢力に抗して枢軸１０８を中心にして図１７中反矢印Ｄ方向に回動され、重量体７７に設けた被押圧部７８を押圧操作し、ヘッド支持体６を第１の弾性変位部７，７を中心にしてディスクカートリッジ９９側から離間する方向の図１７中矢印Ｆ方向に回動変位させる。ヘッド支持体６が、図１７中矢印Ｆ方向に回動変位されることにより摺接体５がディスクカートリッジ９９内から離脱され、光ピックアップ装置９１との間にディスクカートリッジ９９の挿脱を行うに足る空間を形成する。
【００７９】
　なお、ヘッド回動操作機構１０５による第１の弾性変位部７，７７を中心とするヘッド支持体６の過剰な回動は、回動規制突起８３が固定部３に設けた回動規制部８２に当接することによって規制される。
【００８０】
　ところで、ヘッド支持体６は、ヘッド回動操作機構１０５により回動操作されたとき、図１９に示すように、カートリッジ装着部に装着された光磁気ディスク１００と略平行な位置である光磁気記録再生装置内のシャーシ基板９３と平行な水平な位置まで回動操作される。また、ヘッド支持体６が第１の弾性変位部７，７を中心にして水平な位置まで回動変位されると、図１９に示すように、摺接体５の先端に設けた当接部５３が回動姿勢規制アーム８４の先端に設けた回動姿勢規制部８５に当接する。このとき、摺接体５は、第２の弾性片部８，８を中心にして図１９中矢印Ｇ方向に回動変位され、ヘッド支持体６と略平行に回動姿勢が規制される。ヘッド支持体６が回動変位されたとき、摺接体５をヘッド支持体６と略平行となるように回動姿勢を規制する回動姿勢規制アーム８４は、第１の弾性変位部７，７を中心にして水平な位置まで回動変位されたヘッド支持体６と平行な方向に延長されている。すなわち、回動姿勢規制アーム８４は、磁気ヘッド装置１が光磁気記録再生装置内に取付けられたとき、シャーシ基板９３と平行な水平な位置に延在される。
【００８１】
　この磁気ヘッド装置１は、ヘッド支持体６がカートリッジ装着部に装着された光磁気ディスク１００と略平行な位置である光磁気記録再生装置内のシャーシ基板９３と平行な水平な位置まで回動操作され、ヘッド支持体６の先端に支持された摺接体５がヘッド支持体６と平行となされるので、ヘッド支持体６と光ピックアップ装置９１との間に十分に大きなディスクカートリッジ９９を挿脱するための空間を構成することができる。
【００８２】
　ところで、磁気ヘッド素子４が取付けられた摺接体５は、ヘッド支持体６が第１の弾性変位部７，７を中心にして回動操作されない自然状態では、図４及び図１７に示すように、光磁気ディスク１００に摺接する摺接部５２の摺接面が光磁気ディスク１００の主面に対し略水平となるようにして重心位置近傍の両側を第２の弾性変位部８，８により支持されてヘッド支持体６に取付けられている。従って、ヘッド支持体６が第１の弾性変位部７，７を中心にして回動変位された状態から、第１の弾性変位部７，７の弾性復帰力を受けて光磁気ディスク１００側に回動変位していくとき、摺接体５は摺接部５２の摺接面を光磁気ディスク１００の主面に水平にして摺接していく。特に、摺接体５が光磁気ディスク１００に対し水平に摺接していくことにより、磁気ヘッド素子４の先端より突出された摺接部５２の摺接面５６を他の部分より先に確実に光磁気ディスク１００に接触させることができる。そのため、摺接体５が光磁気ディスク１００に摺接する際、磁気ヘッド素子４の一部等が光磁気ディスク１００に接触し、光磁気ディスク１００を損傷させるようなことが確実に防止できる。
【００８３】
　そして、摺接体５は、重心位置近傍の両側を第２の弾性変位部８，８により支持されてなるので、回転操作される光磁気ディスク１００に対し安定した状態で相対摺接させることができる。例えば、光磁気ディスク１００の主面に凹凸があって、これら凹凸によって摺接体５が第２の弾性変位部８，８を中心にして揺動変位された場合にも、大きな振動を発生させることなく安定した状態で光磁気ディスク１００に摺接させることが可能となる。また、光磁気ディスク１００が回転操作されたときに面振れを発生させても、摺接体５は、光磁気ディスク１００の面振れに追随して第２の弾性変位部８，８を中心にして揺動変位し、不要な振動を発生させることなく安定した状態で光磁気ディスク１００に相対摺接させることが可能となる。
【００８４】
　さらに、この磁気ヘッド装置１の摺接体５は、重心位置近傍の両側を第２の弾性変位部８，８により支持されるとともに、光磁気ディスク１００への摺接部５２を、図４及び図１７に示すように、第２の弾性変位部８，８の位置より、ヘッド支持体６に付勢力を付与する第１の弾性変位部７，７側である固定部３側に位置させてヘッド支持体６の先端側に支持されている。
【００８５】
　このように構成された磁気ヘッド装置１は、摺接体５を光磁気ディスク１００に摺接さたとき、この摺接体５を光磁気ディスク１００側に所定に弾性付勢する付勢力を付与するヘッド支持体６を支持する第１の弾性変位部７，７は、図２０に示すように、光磁気ディスク１００側である下方に突出するように湾曲変位されるのに対し、摺接体５を支持する第２の弾性変位部８，８は、図２０に示すように、第１の弾性変位部７，７とは逆向きに上方に突出するように湾曲変位する。すなわち、摺接体５は、第２の弾性変位部８，８の位置より第１の弾性変位部７，７側に位置する摺接部５２が光磁気ディスク１００に摺接するためである。そして、第２の弾性変位部８，８が第１の弾性変位部７，７とは逆向きに上方に突出するように湾曲変位するため、第２の弾性変位部８，８の弾性復帰力を受けて、摺接体５には、第２の弾性変位部８，８を中心にして図２０中矢印Ｊ方向の摺接部５２を光磁気ディスク１００側に付勢する回動付勢力が付与されている。そのため、摺接部５２が、摺接体５の他の部分に優先して確実に光磁気ディスク１００に接触させられることになり、安定した摺接体５と光磁気ディスク１００との相対摺接を実現できる。
【００８６】
　光磁気記録再生装置に取付けられた磁気ヘッド装置１は、図１８に示すように、ヘッド支持体６の延長方向と直交する方向を移動方向として光磁気ディスク１００の径方向に移動される。そして、摺接体５にの中央部に設けられた取付け部５１を介して取付けられた磁気ヘッド素子４の磁極コア３２の中心磁極コア３２ａが、光磁気ディスク１００の中心線上に位置する。そのため、磁極コア３２の中心磁極コア３２ａが光磁気ディスク１００の信号記録領域の最外周側に位置するまで摺接体５が移動されると、摺接部５２の一側が光磁気ディスク１００の外周に突出してしまう。そこで、摺接体５が光磁気ディスク１００の最外周側に移動された場合であっても、光磁気ディスク１００から突出することを防止するため、摺接部５２の一側は光磁気ディスク１００の接線に沿って傾斜した傾斜部５２ｂとなされている。
【００８７】
　摺接部５２の摺接面５６側に設けられた傾斜面５６ａと傾斜部５２ｂは、肉厚に形成されてしまう光磁気ディスク１００の外周側に摺接体５が移動されたとき、この肉厚となっている光磁気ディスク１００の外周部に摺接体５が乗り上げることを規制し、摺接部５２の摺接面５６が光磁気ディスク１００の信号記録領域部分に確実に摺接するようにしている。
【００８８】
　ところで、摺接体５は、回転する光磁気ディスク１００と相対摺接するものであるので、摺動性及び耐摩耗性に優れ、軽量であり、しかもモールド成形した場合に高い寸法精度が得られる材料で形成されることが望ましい。そこで、摺接体５を構成する材料としては、ポリフェニレンサルファイド（ＰＰＳ）、ポリアセール（ＰＯＭ）、ポリアリレート（ＰＡＲ）、ポリイミド６、ポリアミド６６、ポリエチレンテレフタレート（ＰＥＴ）、ポリブチレンテレフタレート（ＰＢＴ）、超高分子ポリエチレン（ＵＨＭＷ−ＰＥ）、高分子ポリエチレン（ＨＭＷ−ＰＥ）等の合成樹脂材料が用いられる。
【００８９】
　また、固定部３、ヘッド支持体６及び回動姿勢規制アーム８４も、摺接体５を構成する材料と同様の合成樹脂材料により形成される。また、重量体７７の全部又は一部を合成樹脂により形成する場合には、摺接体５を構成する材料と同様の合成樹脂材料により形成される。なお、固定部３、ヘッド支持体６、回動姿勢規制アーム８４及び重量体７７は、それぞれ要求される特性に応じて上述の材料中から適宜の材料を選択し形成してもよい。
【００９０】
　なお、合成樹脂材料で形成される固定部３、摺接体５、ヘッド支持体６及び回動姿勢規制アーム８４、一対の弾性体２，２が配置された成形用の金型装置のキャビティ内にに合成樹脂材料を射出して成形するインサート成形によって同時に成形することができる。また、固定部３、摺接体５、ヘッド支持体６及び回動姿勢規制アーム８４、さらには重量体７７を、それぞれ適宜の材料を選択して成形する場合には、２色成形法によって形成するようにしてもよい。
【００９１】
　さらに、固定部３には、図１及び図２１に示すように、ヘッド支持体６の先端側に支持された摺接体５に取付けられた磁気ヘッド素子４と外部回路を電気的に接続するためのフレキシブルプリント配線基板やフレキシブルフラットケーブル等の平板状をなす接続ケーブル１１４が接続される外部回路接続部１１５が設けられている。この外部回路接続部１１５は、固定部３の基端側に突設した端子部支持片１１６を有し、この端子部支持片１１６の一主面上に一対の弾性体２，２の基端部側に形成された端子部１１７，１１７が延在されている。これら端子部１１７，１１７は、給電端子６３，６３を介して磁気ヘッド素子４のコイル３３に電気的に接続される一対の弾性体２，２に先端先細り状の略コ字状をなす切込みを設けることによって形成されてなるものであって、弾性体２，２への連設部側を支点に弾性変位可能となされている。また、端子部１１７，１１７は、端子部支持片１１６上に突出するように折曲され、先端側に屈曲部１１７ａが形成されている。従って、端子部１１７，１１７は、端子部支持片１１６上に突出した屈曲部１１７ａが押圧操作されることにより、弾性体２，２への連設部側を支点にして端子部支持片１１６側に弾性変位する。
【００９２】
　端子部支持片１１６には、端子部１１７，１１７が弾性変位されたときに、これら端子部１１７，１１７の先端側を進入させるための切欠き穴が設けられている。
【００９３】
　また、端子部支持片１１６の相対向する両側には、この端子部支持片１１６と共同して端子部１１７，１１７に電気的に接続される接続ケーブル１１４を挿入するための挿入溝１１８を形成する一対の接続ケーブル支持片１１９，１１９が設けられている。これら接続ケーブル支持片１１９，１１９は、図２１に示すように、固定部３から端子部支持片１１６上に突出するように形成され、端子部支持片１１６と相俟って挿入溝１１８を形成している。また、接続ケーブル支持片１１９，１１９の端子部支持片１１６に対向する下面側には、図２２に示すように、挿入溝１１８に挿入される接続ケーブル１１４の両側に切欠き形成した切欠き溝１２０が係合する係止爪１２１が突設されている。
【００９４】
　そして、接続ケーブル１１４は、先端側から挿入溝１１８に挿入されることにより、端子部支持片１１６と接続ケーブル支持片１１９，１１９とにより挾持されるようにして外部回路接続部１１５に接続される。このとき、接続ケーブル１１４は、撓み変形されて端子部支持片１１６上に延在する端子部１１７，１１７に接続パターン部を圧接させる。接続パターンが端子部１１７，１１７に圧接されることにより、接続ケーブル１１４は一対の弾性体２，２に電気的に接続され。そして、磁気ヘッド素子４のコイル３３は、接続ケーブル１１４及び一対の弾性体２，２を介して外部回路に電気的に接続され、外部回路からの給電が行われる状態となる。
【００９５】
　ところで、一対の弾性部材２，２に形成される給電端子６３，６３及び端子部１１７，１１７には、金メッキ処理、ニッケルメッキ処理、ハンダメッキ処理のいずれかのメッキ処理が施されている。このようなメッキ処理を施すことによって、給電端子６３，６３及び端子部１１７，１１７の接触抵抗が低減され、良好な電気的な接触が実現される。
【００９６】
　さらに、固定部３の上面側には、図１及び図３に示すように、この固定部３に埋設された弾性部材２，２の一部を外方に臨ませる透孔１２１，１２１が穿設されている。弾性部材２，２のこれら透孔１２１，１２１に臨まされた部分は、弾性部材２，２と磁気ヘッド素子４のコイル３３との接続状態や磁気ヘッド素子４の電気特性を検査するための検査器具の接触部となされる。
【００９７】
　また、一対の弾性部材２，２の外部に臨む第１の弾性変位部７，７及び第２の弾性変位部８，８を構成する部分にも金メッキ処理、ニッケルメッキ処理、ハンダメッキ処理のいずれかのメッキ処理を施すよって、これら部分のサビ留めを図ることができる。
【００９８】
　上述の実施例では、弾性部材２，２を一対用いているが、弾性部材２，２を構成する金属板の弾性変位力や強度を考慮して、複数対用いるようにしてもよい。
【図面の簡単な説明】
【００９９】
【図１】本発明に係る磁気ヘッド装置の上面側の斜視図である。
【図２】本発明に係る磁気ヘッド装置を光記録媒体への摺接面側からみた斜視図である。
【図３】本発明に係る磁気ヘッド装置の平面図である。
【図４】本発明に係る磁気ヘッド装置の側面図である。
【図５】本発明に係る磁気ヘッド装置を構成する磁気ヘッドの分解斜視図である。
【図６】磁気ヘッド素子を構成するボビンの側面図である。
【図７】図６に示すボビンの右側面図である。
【図８】図６に示すボビンの底面図である。
【図９】摺接体の平面図である。
【図１０】摺接体の側面図である。
【図１１】摺接体の底面図である。
【図１２】図１１のＩＸ−ＩＸ線断面図である。
【図１３】図１１のＩＩＩＸ−ＩＩＩＸ線断面図である。
【図１４】図１１のＩＶＸ−ＩＶＸ線断面図である。
【図１５】磁気ヘッドの組み立て状態を示す断面図である。
【図１６】磁気ヘッド素子を摺接体に取付けた状態を示す断面図である。
【図１７】本発明に係る磁気ヘッド装置を光磁気記録再生装置に取付けた状態を示す側面図である。
【図１８】本発明に係る磁気ヘッド装置と光磁気記録再生装置に装着される光磁気ディスクとの関係を示す斜視図である。
【図１９】ヘッド支持体が光磁気ディスクから離間する方向に回動された状態を示す側面図である。
【図２０】摺接体を光磁気ディスクに摺接させた状態の側面図である。
【図２１】固定部に設けられた外部回路接続部を示す斜視図である。
【図２２】外部回路接続部の断面図である。
【符号の説明】
【０１００】
１　磁気ヘッド装置、　２，２　弾性体、　３　固定部、　４　磁気ヘッド素子、　５　摺接体、　６　ヘッド支持体、　７，７　第１の弾性変位部、　８，８　第２の弾性変位部、　１０　磁気ヘッド、　５２　摺接体の摺接部、　７７　重量体、　７８　被押圧部、　８２　回動規制部、　８３　回動規制突起、　８４　回動姿勢規制アーム、　１１４　接続ケーブル、　１１５　外部回路接続部、　１１７，１１７　弾性体の基端部に形成した端子部、　１１８　接続ケーブルの挿入溝、　１１９，１１９　接続ケーブル支持片
【図１】
2004014117.tif 000003
【図２】
2004014117.tif 000004
【図３】
2004014117.tif 000005
【図４】
2004014117.tif 000006
【図５】
2004014117.tif 000007
【図６】
2004014117.tif 000008
【図７】
2004014117.tif 000009
【図８】
2004014117.tif 000010
【図９】
2004014117.tif 000011
【図１０】
2004014117.tif 000012
【図１１】
2004014117.tif 000013
【図１２】
2004014117.tif 000014
【図１３】
2004014117.tif 000015
【図１４】
2004014117.tif 000016
【図１５】
2004014117.tif 000017
【図１６】
2004014117.tif 000018
【図１７】
2004014117.tif 000019
【図１８】
2004014117.tif 000020
【図１９】
2004014117.tif 000021
【図２０】
2004014117.tif 000022
【図２１】
2004014117.tif 000023
【図２２】
2004014117.tif 000024